(57)【要約】【課題】  発電設備を備えた住戸であっても、エネルギー使用量等を正確に管理でき、外出先からでも自宅のエネルギー使用状況を把握できる。【解決手段】  使用電力・発電電力情報等を入手するための３系統の電流情報を入手できる電流センサインターフェース２と、ガス使用量情報を入手するデジタル入力インターフェース１ａと、入手した電力情報及びガス使用量情報から、使用／発電電力量やガス使用量等の所定の形態の使用量／発電量データを演算し、求めた使用量／発電量データを基に更にグラフ化してＷｅｂページを作成する演算処理部９と、演算結果を保存する記憶部８と、インターネット網に接続するためのＬＡＮインターフェース４とを有し、演算処理部９はインターネット網に接続された所定の外部機器からデータの閲覧要求を受けたら、作成したＷｅｂページを送信して閲覧制御した。【選択図】  図１
2008298754.tif 000002
【特許請求の範囲】
【請求項１】
使用電力情報を含む３種類の電力情報を入手するための３系統の電流信号入力部と、
ガス使用量情報を入手するためのデジタル信号入力部と、
入手した電力情報及びガス使用量情報から、使用／発電電力量やガス使用量等の所定の形態の使用量／発電量データを演算する情報加工演算部と、
演算結果を保存するデータ保存部とを有することを特徴とするエネルギー使用量管理装置。
【請求項２】
情報加工演算部は、求めた使用量／発電量データを基に更にグラフ化してＷｅｂページを作成すると共に、
インターネット網に接続するためのＬＡＮインターフェースと、
インターネット網に接続された所定の外部機器からデータの閲覧要求を受けたら、情報加工演算部が作成したＷｅｂページを閲覧可能とする通信制御部とを有する請求項１記載のエネルギー使用量管理装置。
【請求項３】
使用量データが予め設定された上限値を超えたら所定の外部機器に対してメール送信を実施し、上限値を超えたことを通知する請求項２記載のエネルギー使用量管理装置。
【請求項４】
電気機器及び／又はガス機器を制御するための機器制御端子を有すると共に、接続機器制御信号を生成する機器制御部を有する一方、Ｗｅｂページ内には機器を制御するための機器操作画面が設けられ、
Ｗｅｂページを表示した外部機器から前記機器操作画面を介してオン／オフ等の機器操作が成されたら、通信制御部はインターネット網を介して操作信号を受信し、機器制御部は前記操作信号に従い前記機器制御端子に接続された機器を制御する請求項２又は３記載のエネルギー使用量管理装置。
【請求項５】
電気機器を制御するための機器制御端子を有すると共に、接続機器制御信号を生成する機器制御部を有し、
前記機器制御部は、使用電力量或いは使用電力が予め設定された上限値を超えたら、接続電器機器をオフ操作する請求項１記載のエネルギー使用量管理装置。
【発明の詳細な説明】
【技術分野】
【０００１】
本発明は、電気、ガス等のエネルギー使用量データを蓄積するエネルギー使用量管理装置に関する。
【背景技術】
【０００２】
住宅のエネルギー使用量の削減を図るための手段として、電気、ガス等のエネルギー使用量を計測してデータを蓄積し、蓄積した一定期間の使用量を表示部に表示させる管理装置が提案されている。このような管理装置のうち、例えば、特許文献１に記載された管理装置では、測定部と表示部との間で無線通信が実施され、測定部で測定された使用電力量等のデータが表示部に無線送信され、この信号を受信した表示部では受信した電力量データから料金換算して表示を行い、必要に応じて警報を発するよう構成されている。また、表示部にパーソナルコンピュータを使用することで、日実績や月実績等様々な形で蓄積したエネルギー使用状況を表示可能としている。
【特許文献１】特開２０００−１９４９８０号公報
【発明の開示】
【発明が解決しようとする課題】
【０００３】
このように、上記特許文献１の管理装置は、測定部が測定した使用量データが表示部に無線送信される構成となっているため、測定部と管理装置の間を通信線で接続する必要がない。そのため、設置作業が比較的容易なものとなっている。しかしながら、近年、省エネルギー対策として太陽光発電や風力発電等の自家発電設備を備えた場合があり、このような場合に、その発電量や売電電力量まで管理することができなかったし、他の電波施設に影響を及ぼさないように微弱電波により実施する必要があるため、測定部と表示部は大きく引き離すことができなかった。
更に、パーソナルコンピュータを使用して日実績データ等をグラフ表示させているが、パーソナルコンピュータにおいて演算を実施し、表示制御を行う構成であるため、専用のものでなければならないし、外出先等で表示させることができなかった。
【０００４】
そこで、本発明はこのような問題点に鑑み、発電設備を備えた住戸であっても、エネルギー使用量等を正確に管理でき、外出先からでも自宅のエネルギー使用状況を把握できるエネルギー使用量管理装置を提供することを目的とする。
【課題を解決するための手段】
【０００５】
上記課題を解決する為に、請求項１に記載の発明に係るエネルギー使用量管理装置は、使用電力情報を含む３種類の電力情報を入手するための３系統の電流信号入力部と、ガス使用量情報を入手するためのデジタル信号入力部と、入手した電力情報及びガス使用量情報から、使用／発電電力量やガス使用量等の所定の形態の使用量／発電量データを演算する情報加工演算部と、演算結果を保存するデータ保存部とを有することを特徴とする。
この構成によれば、使用電力の情報に加えて、発電電力や他の電力情報をガス使用量情報と合わせて入手することができるので、使用電力量、ガス使用量に加えて発電電力量、売電電力量等を精度良く集計して保存することができる。よって、居住者が総合的なエネルギー管理をする場合に活用できる。
【０００６】
請求項２の発明は、請求項１に記載の発明において、情報加工演算部は、求めた使用量／発電量データを基に更にグラフ化してＷｅｂページを作成すると共に、インターネット網に接続するためのＬＡＮインターフェースと、インターネット網に接続された所定の外部機器からデータの閲覧要求を受けたら、情報加工演算部が作成したＷｅｂページを閲覧可能とする通信制御部とを有することを特徴とする。
この構成によれば、Ｗｅｂページを表示できるブラウザを備えた機器であれば、専用の表示手段を用いることなくエネルギー使用量等の情報を入手でき、インターネット網を利用して入手できるので、自宅のエネルギー使用状況を外出先からでも管理できるし、グラフ化した画像により認識できるので状況を把握しやすい。
【０００７】
請求項３の発明は、請求項２に記載の発明において、使用量データが予め設定された上限値を超えたら所定の外部機器に対してメール送信を実施し、上限値を超えたことを通知することを特徴とする。
この構成によれば、エネルギー使用量が上限値を超えたらメールを送信して知らせるので、居住者は自宅に居なくてもそれを認識できる。よって、居住者は自宅に居なくても必要な対策を講じやすい。
【０００８】
請求項４の発明は、請求項２又は３に記載の発明において、電気機器及び／又はガス機器を制御するための機器制御端子を有すると共に、接続機器制御信号を生成する機器制御部を有する一方、Ｗｅｂページ内には機器を制御するための機器操作画面が設けられ、
Ｗｅｂページを表示した外部機器から前記機器操作画面を介してオン／オフ等の機器操作が成されたら、通信制御部はインターネット網を介して操作信号を受信し、機器制御部は前記操作信号に従い前記機器制御端子に接続された機器を制御することを特徴とする。
この構成によれば、Ｗｅｂページから機器を制御できるので、外出先からであっても、簡易な操作で自宅の機器を制御でき、エネルギーの節約に効果を奏する。
【０００９】
請求項５の発明は、請求項１に記載の発明において、電気機器を制御するための機器制御端子を有すると共に、接続機器制御信号を生成する機器制御部を有し、前記機器制御部は、使用電力量或いは使用電力が予め設定された上限値を超えたら、接続電器機器をオフ操作することを特徴とする。
この構成によれば、確実にエネルギーの節約を図ることができるし、過電流状態を防止できる。
【発明の効果】
【００１０】
本発明によれば、使用電力の情報に加えて、発電電力や他の電力情報をガス使用量情報と合わせて入手することができ、使用電力量、ガス使用量に加えて発電電力量、売電電力量等を精度良く集計して保存することができるので、居住者が総合的なエネルギー管理をする場合に活用できる。
また、Ｗｅｂページを表示できるブラウザを備えた機器であれば、専用の表示手段を用いることなくエネルギー使用量等の情報を入手でき、インターネット網を利用して入手できるので、自宅のエネルギー使用状況を外出先からでも管理できるし、グラフ化した画像により認識できるので状況を把握しやすい。
【発明を実施するための最良の形態】
【００１１】
以下、本発明を具体化した実施の形態を、図面に基づいて詳細に説明する。
図１は本発明に係るエネルギー使用量管理装置の一例を示す回路ブロック図であり、１ａはガスメータや水道メータから出力されるデジタル信号を入力するデジタル入力インターフェース（以下、デジタル入力ＩＦとする）、１ｂはブザーやサイレン等を操作するデジタル信号を出力するデジタル出力インターフェース（以下、デジタル出力ＩＦとする）、２は変流器等からの電流情報を入力する電流センサインターフェース（以下、電流センサＩＦとする）、３は入手した電流情報から測定対象の電流値を演算する電流計測処理部、４はルーター（図２に示す）を介してインターネット網に接続するためのＬＡＮインターフェース（以下、ＬＡＮ−ＩＦとする）、５ａは電気機器やガス機器の制御線が接続される機器制御端子、５は機器制御信号を生成する機器制御部、６は外部計測機器等を接続するための外部機器インターフェース（以下、外部機器ＩＦとする）、８は測定データ等を保存する記憶部、９は各入力データに対して所定の演算を実施すると共にエネルギー使用量管理装置の各部を制御するＣＰＵを備えた演算処理部である。
【００１２】
また、図２はこのエネルギー使用量管理装置１０をホーム分電盤１１に組み付けて、電気機器やガス機器の信号線、更に各種センサを接続した様子を示している。エネルギー使用量管理装置１０のデジタル入力ＩＦ１ａの１つには、ガスメータ１３が接続され、ガスメータ１３からパルス信号で送出される使用量情報が入力される。また、他には水道メータ１４が接続され、パルス信号で送出される使用量情報がガスメータ１３と同様に入力される。
【００１３】
電流センサＩＦ２は、３つの電流センサ系統（第１電流センサ系統２ａ〜第３電流センサ系統２ｃ）の接続部を備え、３種類の電流情報を入力できるよう構成されている。第１電流センサ系統２ａは、主開閉器１６の負荷電路１７に接続された電流センサ（変流器）１８であり、第２電流センサ系統２ｂは太陽光発電装置１９の出力部の電流情報が入力される。更に、第３電流センサ系統２ｃは図示しない風力発電装置の出力電流情報が入力される。
【００１４】
ＬＡＮ−ＩＦ４はルーター２１を介してインターネット網２２に接続され、後述するように携帯電話２４との間で通信が可能となっている。また、ルーター２１にはパーソナルコンピュータ（以下、パソコンと称する）２３が接続され、宅内においてエネルギー使用量管理装置１０と通信してエネルギー使用量状況をパソコン画面で容易に把握できるようになっている。尚、パソコン２３は住戸内に限らず、インターネット網２２に接続すれば、遠隔地からでも容易にエネルギー使用量管理装置１０に接続してエネルギー状況を見ることができる。
【００１５】
機器制御端子５ａには、所謂ＨＡ機器が接続されている。即ち、ＨＡ端子（日本電機工業会（ＪＥＭＡ）統一規格に基づく端子）を備えたエアコン２６等の電気機器やガスコンロ２７等のガス機器が接続され、機器制御部５の送出する信号によりオン／オフ制御が可能となっている。また、外部機器ＩＦ６には例えば温湿度センサが接続される。
【００１６】
このように構成されたエネルギー使用量管理装置は、次のように動作する。先ず、電流センサＩＦ２に入力された電流情報を基に、電流計測処理部３において所定の演算が成されて、測定対象電路の電流が演算される。この演算した電流情報と、エネルギー管理装置１０の電源部に設置された図示しない電圧センサの電圧情報を基に、演算処理部９において電力（使用電力、発電電力、買電電力等）が演算される。更に単位時間毎の電力データから電力量（商用電力系統からの受電電力量や発電電力量）が演算され、その都度データ保存部である記憶部８に保存される。一方で、ガスメータ１３からのガス使用量情報を基にガス使用量が演算されるし、水道メータから送られてきた情報から水道使用量が演算され、同様に記憶部８に保存される。
【００１７】
そして、演算処理部９は、予め設定されたフォーマットに従いＷｅｂページ上にグラフを作成する。図３、図４はこのＷｅｂページの一例を示し、図３は左側に時間毎の使用電力量を折れ線グラフＧ１で示し、太陽光発電電力量と風力発電電力量を棒グラフＧ２、Ｃ３で示している。また右側に所定時間間隔で瞬時電力（使用電力）を棒グラフＧ４で示している。図４では、発電電力と使用電力の大きさを数値で表示すると共に、帯状のグラフＧ５，Ｇ６で表示している。また右側に、受電状態にあるか売電中であるか矢印で表示し、その電力を表示している。
尚、このようなＷｅｂページは、ガスや水道に対しても随時作成され、記憶部８に保存される。
【００１８】
こうして作成されたＷｅｂページは、ブラウザを備えた携帯電話等の機器であれば、どのような機器であってもインターネット網２２に接続して閲覧することができる。但し、エネルギー使用量管理装置１０はパスワードが設定され、携帯電話２４等の外部機器からこのパスワードを入力してメール送信することで、アクセスすることができる。送信したパスワードを含んだメールは、機器制御部５において認識され、Ｗｅｂページを開示制御が成され、Ｗｅｂページデータがその外部機器に対して送信される。尚、このＷｅｂページは、ルーターに接続されたパソコン２３からでも、同様に閲覧できる。
【００１９】
そして、図３に示すメニューボタン２９をクリック操作することで、機器操作画面に入ることができる。クリック操作により、操作した機器のオン信号或いはオフ信号がインターネット網２２を介してエネルギー使用量管理装置１０に送信される。この信号を受信した演算処理部９は、信号を読み取り機器制御部５或いはデジタル出力ＩＦ１ｂを介して接続されている機器を制御する。図５は、この機器操作画面を示し、オン／オフ表示部３０が機器操作部であり、このエリアをクリック操作することで、機器のオン／オフ制御を実施できる。
尚、Ｗｅｂページを表示している外部機器にマウス機能がない場合は、所定のボタン操作をメニューボタンのクリック操作とすれば良いし、その後所定のボタン操作により機器操作が実施されるよう構成すれば良い。
【００２０】
このように、使用電力の情報に加えて、発電電力や他の電力情報をガス使用量情報と合わせて入手することができるので、使用電力量、ガス使用量に加えて発電電力量、売電電力量等を精度良く集計して保存することができる。よって、居住者が総合的なエネルギー管理をする場合に活用できる。
そして、Ｗｅｂページを表示できるブラウザを備えた機器であれば、専用の表示手段を用いることなくエネルギー使用量等の情報を入手でき、インターネット網を利用して入手できるので、自宅のエネルギー使用状況を外出先からでも管理できるし、グラフ化した画像により認識できるので状況を把握しやすい。
また、Ｗｅｂページから機器を制御できるので、外出先からであっても、簡易な操作で自宅の機器を制御でき、エネルギーの節約に効果を奏する。
【００２１】
また、記憶部８には使用電力の上限値や使用ガスの上限値が設定されて記憶されている。演算処理部９は、この値を超える電力の使用を検知したら、携帯電話２４等の所定の外部機器に対してメール送信を行うと共に、デジタル出力ＩＦ１ｂを介して接続されている報知手段（図示せず）を報知動作させる。その後、機器制御部５が制御されて、機器制御端子５ａに接続された機器のうち対応する機器に対してオフ操作信号が出力される。
このとき外部機器に対しては、予め保存されている例えば「電力が１０００ワットを超えました。エアコンをオフします。」と言うような文章が送信される。その後、所定時間が経過したら例えばエアコン２６がオフ操作される。
【００２２】
このように、エネルギー使用量が上限値を超えたらメールを送信して知らせるので、居住者は自宅に居なくてもそれを認識できる。よって、居住者は自宅に居なくても必要な対策を講じやすい。
また、上限値を超えたら自動で関係する機器をオフ操作することで確実にエネルギーの節約を図ることができるし、電力の設定をホーム分電盤の電力容量に合わせて設定すれば、過電流により遮断器が動作して停電になるのを防止できる。
【００２３】
人感センサ２８が動作した場合も、同様に所定の外部機器に対してメールが送信される。人感センサ２８は、居住者が不在となる際に能動となるようセットすることで、人物の侵入（接近）を検知したら信号を出力する。この信号をエネルギー使用量管理装置１０が検知したら、メールにより例えば「居室Ａにおいて不審者を検知しました」等の予め作成された文章が所定の機器に対して送信される。この動作により、不審者の侵入情報を外出先で入手でき、素速い対処が可能となる。
【００２４】
尚、上記実施形態では、エネルギー使用量管理装置にパスワードを設定して、住居人以外からのアクセスを禁止しているが、パスワードを使用せずエネルギー使用量管理装置１０に予めアクセス可能な機器のＩＤを登録しても良く、同様に他人からのアクセスに対して保護できる。また、制御対象機器をエアコン２６やガスコンロ２７を示しているが、ＨＡ端子を備えた機器であれば良く、例えば床暖房機器や風呂給湯器等も好適である。
また、電流センサＩＦ２は、３つの電流センサ系統２ａ〜２ｃの接続部を備えて、使用電力と２つの発電電力を管理する構成としているが、発電設備を持たない或いは１種類しか持たない場合は、深夜電力専用の使用電力情報入力部としても良い。
【図面の簡単な説明】
【００２５】
【図１】本発明に係るエネルギー使用量管理装置の実施形態の一例を示す回路ブロック図である。
【図２】図１のエネルギー使用量管理装置に管理対象機器を接続したシステム説明図である。
【図３】Ｗｅｂページの一例を示す図である。
【図４】Ｗｅｂページの他の一例を示す図である。
【図５】Ｗｅｂページの他の例を示し、機器操作画面図である。
【符号の説明】
【００２６】
１ａ・・デジタル入力インターフェース（デジタル信号入力部）、１ｂ・・デジタル出力インターフェース（機器制御端子）、２・・電流センサインターフェース（電流信号入力部）、４・・ＬＡＮインターフェース、５・・機器制御部、５ａ・・機器制御端子、８・・記憶部（データ保存部）、９・・演算処理部（情報加工演算部、通信制御部）、１０・・エネルギー使用量管理装置、１３・・ガスメータ、１４・・水道メータ、２１・・ルーター、２２・・インターネット網、２３・・パーソナルコンピュータ（所定の外部機器）、２４・・携帯電話（所定の外部機器）、２６・・エアコン、２７・・ガスコンロ、２８・・人感センサ。
【図１】
2008298754.tif 000003
【図２】
2008298754.tif 000004
【図３】
2008298754.tif 000005
【図４】
2008298754.tif 000006
【図５】
2008298754.tif 000007